(57)【要約】      （修正有）【課題】原稿種類に応じた初期設定内容を履歴情報に基づいて設定することが可能な画像処理装置及び画像処理方法を提供する。【解決手段】画像形成装置１０において、判別処理部７１は、原稿の画像データに基づいて原稿種類を判別する。第１設定処理部７３は、画像処理に関する一又は複数の設定項目の内容を予め設定された初期設定内容で設定すると共にユーザー操作に応じて前記設定項目の内容を変更する。記憶処理部７４は、画像処理が実行されるごとに設定項目の内容を原稿種類と関連付けて記憶部６に履歴情報として記憶させる。第２設定処理部７５は、履歴情報における原稿種類ごとの設定項目の内容に基づいて原稿種類ごとに初期設定内容を設定する。【選択図】図１
2018117234.tif 000002
【特許請求の範囲】
【請求項１】
原稿の画像データに基づいて原稿種類を判別する判別処理部と、
予め設定される一又は複数の設定項目の内容に従って前記画像データを用いた画像処理を実行する画像処理部と、
前記設定項目の内容を予め設定された初期設定内容で設定すると共にユーザー操作に応じて前記設定項目の内容を変更する第１設定処理部と、
前記画像処理が実行されるごとに前記設定項目の内容を前記原稿種類と関連付けて記憶部に履歴情報として記憶させる記憶処理部と、
前記履歴情報における前記原稿種類ごとの前記設定項目の内容に基づいて前記原稿種類ごとに前記初期設定内容を設定する第２設定処理部と、
を備える画像処理装置。
【請求項２】
前記第２設定処理部は、或る原稿種類について或る設定項目の内容が同じ内容で前記画像処理が予め定められた回数以上実行されている場合に、当該設定項目の内容を、当該原稿種類の当該設定項目に対応する前記初期設定内容として設定する、
請求項１に記載の画像処理装置。
【請求項３】
前記第２設定処理部は、或る原稿種類の或る設定項目について、互いに異なる複数の内容で前記画像処理が前記予め定められた回数以上それぞれ実行されている場合に、前記複数の内容のうちの最新の内容を前記原稿種類に対応する前記初期設定内容として設定する、
請求項２に記載の画像処理装置。
【請求項４】
前記第２設定処理部は、或る原稿種類について或る設定項目の内容が同じ内容で前記画像処理が予め定められた回数以上連続して実行されている場合に、当該設定項目の内容を、当該原稿種類の当該設定項目に対応する前記初期設定内容として設定する、
請求項１に記載の画像処理装置。
【請求項５】
前記第２設定処理部は、或る原稿種類に対応する前記初期設定内容を設定した後に他の原稿種類についての前記画像処理が予め定められた回数実行された場合に、前記初期設定内容を予め定められた初期値にリセットする、
請求項１〜４のいずれかに記載の画像処理装置。
【請求項６】
前記画像処理装置を使用するユーザーを特定する特定処理部を更に備え、
前記記憶処理部は、前記ユーザーごとに前記履歴情報を前記記憶部に記憶させ、
前記第２設定処理部は、前記ユーザーごとに前記初期設定内容を設定する、
請求項１〜５のいずれかに記載の画像処理装置。
【請求項７】
前記判別処理部により判別された原稿種類に対応する前記初期設定内容で前記設定項目の内容が設定されたときに、前記原稿種類を報知すると共に前記原稿種類に応じて前記設定項目の内容が設定された旨を報知する報知処理部を更に備える、
請求項１〜６のいずれかに記載の画像処理装置。
【請求項８】
前記原稿種類が、パスポート、手紙、領収書、免許証、社員証、身分証、フォーム、及びドキュメントの少なくとも１つを含む、
請求項１〜７のいずれかに記載の画像処理装置。
【請求項９】
原稿の画像データに基づいて原稿種類を判別する判別処理ステップと、
予め設定される一又は複数の設定項目の内容に従って前記画像データを用いた画像処理を実行する画像処理ステップと、
前記設定項目の内容を予め設定された初期設定内容で設定すると共にユーザー操作に応じて前記設定項目の内容を変更する第１設定処理ステップと、
前記画像処理が実行されるごとに前記設定項目の内容を前記原稿種類と関連付けて記憶部に履歴情報として記憶させる記憶処理ステップと、
前記履歴情報における前記原稿種類ごとの前記設定項目の内容に基づいて前記原稿種類ごとに前記初期設定内容を設定する第２設定処理ステップと、
を備える画像処理方法。
【発明の詳細な説明】
【技術分野】
【０００１】
本発明は、一又は複数の設定項目の内容に従って画像処理を実行する画像処理装置及び画像処理方法に関する。
【背景技術】
【０００２】
例えばシートに原稿の画像を印刷する印刷処理の開始時には、その印刷処理に関する一又は複数の設定項目の内容がユーザー操作に応じて設定される。これに対し、ユーザー操作による印刷処理の設定内容の過去の使用頻度に基づいて、ユーザーの好みの設定内容を予想する技術が知られている（例えば、特許文献１参照）。
【先行技術文献】
【特許文献】
【０００３】
【特許文献１】特開２００８−２５７６９８号公報
【発明の概要】
【発明が解決しようとする課題】
【０００４】
しかしながら、印刷処理の対象となる原稿の種類に応じて印刷処理の設定内容を変えたい場合には、ユーザーは、過去の使用頻度に基づいて予想された設定内容を、原稿の種類に応じて適宜に変更する必要がある。
【０００５】
本発明の目的は、原稿種類に応じた初期設定内容を履歴情報に基づいて設定することが可能な画像処理装置及び画像処理方法を提供することにある。
【課題を解決するための手段】
【０００６】
本発明の一の局面に係る画像処理装置は、判別処理部と、画像処理部と、第１設定処理部と、記憶処理部と、第２設定処理部とを備える。前記判別処理部は、原稿の画像データに基づいて原稿種類を判別する。前記画像処理部は、予め設定される一又は複数の設定項目の内容に従って前記画像データを用いた画像処理を実行する。前記第１設定処理部は、前記設定項目の内容を予め設定された初期設定内容で設定すると共にユーザー操作に応じて前記設定項目の内容を変更する。前記記憶処理部は、前記画像処理が実行されるごとに前記設定項目の内容を前記原稿種類と関連付けて記憶部に履歴情報として記憶させる。前記第２設定処理部は、前記履歴情報における前記原稿種類ごとの前記設定項目の内容に基づいて前記原稿種類ごとに前記初期設定内容を設定する。
【０００７】
本発明の他の局面に係る画像処理方法は、判別処理ステップと、画像処理ステップと、第１設定処理ステップと、記憶処理ステップと、第２設定処理ステップとを備える。前記判別処理ステップでは、原稿の画像データに基づいて原稿種類が判別される。前記画像処理ステップでは、予め設定される一又は複数の設定項目の内容に従って前記画像データを用いた画像処理が実行される。第１設定処理ステップでは、前記設定項目の内容が予め設定された初期設定内容で設定されると共にユーザー操作に応じて前記設定項目の内容が変更される。記憶処理ステップでは、前記画像処理が実行されるごとに前記設定項目の内容が前記原稿種類と関連付けて記憶部に履歴情報として記憶される。第２設定処理ステップでは、前記履歴情報における前記原稿種類ごとの前記設定項目の内容に基づいて前記原稿種類ごとに前記初期設定内容が設定される。
【発明の効果】
【０００８】
本発明によれば、原稿種類に応じた初期設定内容を履歴情報に基づいて設定することが可能な画像処理装置及び画像処理方法が提供される。
【図面の簡単な説明】
【０００９】
【図１】図１は、本発明の実施形態に係る画像形成装置のシステム構成を示すブロック図である。
【図２】図２は、本発明の実施形態に係る画像形成装置で表示される設定画面の一例を示す図である。
【図３】図３は、本発明の実施形態に係る画像形成装置で使用される第１設定情報の一例を示す図である。
【図４】図４は、本発明の実施形態に係る画像形成装置で使用される第２設定情報の一例を示す図である。
【図５】図５は、本発明の実施形態に係る画像形成装置で使用される履歴情報の一例を示す図である。
【図６】図６は、本発明の実施形態に係る画像形成装置で使用されるユーザー設定値の遷移の一例を示す図である。
【図７】図７は、本発明の実施形態に係る画像形成装置で使用されるユーザー設定値の遷移の一例を示す図である。
【図８】図８は、本発明の実施形態に係る画像形成装置で表示される設定画面の一例を示す図である。
【図９】図９は、本発明の実施形態に係る画像形成装置で実行される設定制御処理の手順の一例を示すフローチャートである。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
図１に示されるように、本発明の実施形態に係る画像形成装置１０は、操作表示部１、ＡＤＦ２、画像読取部３、画像形成部４、通信Ｉ／Ｆ５、記憶部６、及び制御部７などを備える。具体的に、画像形成装置１０は、プリント処理、スキャン処理、コピー処理、及びファクシミリ通信処理などの各種の画像処理が実行可能な複合機である。また、画像形成装置１０は、予め設定される一又は複数の設定項目の内容に従って前記画像処理を実行する画像処理装置の一例である。なお、本発明に係る画像処理装置は、複合機に限らず、、プリンター、スキャナー、コピー機、又はファクシミリ装置などの装置であってもよい。
【００１２】
操作表示部１は、情報を表示する液晶ディスプレーなどの表示部と、ユーザー操作を受け付けるタッチパネル及び操作ボタンとを備える。前記タッチパネルは、ユーザーによる前記表示部のタッチ操作を検出可能である。前記操作ボタンには、例えばスタートボタン、キャンセルボタン、及び停止ボタンなどが含まれる。
【００１３】
ＡＤＦ２は、原稿セット部、搬送ローラー、原稿押さえ、及び排紙部などを備え、画像読取部３の読み取り対象となる原稿を搬送する自動原稿搬送装置である。画像読取部３は、原稿台、光源、ミラー、光学レンズ、及びＣＣＤ（Ｃｈａｒｇｅ  Ｃｏｕｐｌｅｄ  Ｄｅｖｉｃｅ）を備え、ＡＤＦ２で搬送される原稿又は原稿台に載置される原稿から画像を読み取って画像データとして出力することが可能である。
【００１４】
画像形成部４は、画像データに基づいて電子写真方式又はインクジェット方式で印刷処理を実行することが可能である。例えば、画像形成部４が電子写真方式の画像形成部である場合、画像形成部４は、感光体ドラム、帯電器、露光装置、現像装置、転写装置、及び定着装置などを備える。
【００１５】
通信Ｉ／Ｆ５は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１６】
記憶部６は、ハードディスク又はＥＥＰＲＯＭ（登録商標）などの不揮発性の記憶部である。記憶部６には、制御部７によって実行される各種の制御プログラム、及び画像形成装置１０で実行される各種の前記画像処理の設定に関する後述の第１設定情報Ｄ１（図３参照）、第２設定情報Ｄ２（図４参照）及び履歴情報Ｄ３（図５参照）などが記憶される。
【００１７】
制御部７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１８】
そして、制御部７は、前記ＲＯＭ又は記憶部６に記憶されている前記制御プログラムを前記ＣＰＵによって実行する。具体的に、制御部７は、前記制御プログラムに従って、前記プリント処理、前記スキャン処理、前記コピー処理、及び前記ファクシミリ通信処理などの各種の画像処理を実行する。
【００１９】
ところで、制御部７は、前記スキャン処理又は前記コピー処理などの各種の画像処理の開始前に、前記画像処理に関する一又は複数の設定項目の内容を、操作表示部１に対するユーザー操作に応じて設定する。一方、例えばユーザー操作による印刷処理の設定内容の過去の使用頻度に基づいて、ユーザーの好みの設定内容を予想する技術が知られている。しかしながら、印刷処理の対象となる原稿の種類に応じて印刷処理の設定内容を変えたい場合には、ユーザーは、過去の使用頻度に基づいて予想された設定内容を、原稿の種類に応じて適宜に変更する必要がある。これに対し、画像形成装置１０では、原稿種類に応じた初期設定内容を履歴情報Ｄ３に基づいて設定することが可能である。
【００２０】
具体的に、制御部７は、判別処理部７１と、画像処理部７２と、第１設定処理部７３と、記憶処理部７４と、第２設定処理部７５と、特定処理部７６と、報知処理部７７とを含む。なお、制御部７は、前記制御プログラムに従って各種の処理を実行することにより各処理部として機能する。また、制御部７の各処理部の一部又は複数が電子回路であってもよい。
【００２１】
具体的に、画像形成装置１０において、判別処理部７１は、原稿の画像データに基づいて原稿種類を判別する。なお、前記原稿は、文書作成ソフトで作成された文書データ（電子データ）であってもよいし、ＡＤＦ２や原稿台にセットされた紙であってもよい。判別処理部７１による原稿種類の判別方法としては、公知の任意の判別方法を用いることができる。例えば、判別処理部７１は、少なくとも原稿の内容に基づいて、原稿種別を判別してもよい。具体的に、判別処理部７１は、原稿の画像データから特徴情報（例えば、キーワード、人物画像、レイアウト、特徴点、色情報など）を抽出し、抽出された特徴情報と原稿種類ごとに予め設定された照合用特徴情報とを照合することによって、原稿種類を判別してもよい。判別処理部７１によって判別される原稿種類には、パスポート、手紙、領収書、免許証、社員証、身分証、フォーム、及びドキュメントの少なくとも１つが含まれてもよい。
【００２２】
画像処理部７２は、予め設定される一又は複数の設定項目の内容に従って前記画像データを用いた画像処理を実行する。具体的に、画像形成装置１０において、画像処理部７２は、前記画像処理として、前記プリント処理、前記スキャン処理、前記コピー処理、及び前記ファクシミリ通信処理などを実行する。例えば、前記コピー処理に対応する前記設定項目には、例えば「カラーモード」、「原稿サイズ」、「用紙サイズ」、及び「拡大・縮小」などが含まれる。
【００２３】
第１設定処理部７３は、前記設定項目の内容を予め設定された初期設定内容で設定すると共に、ユーザー操作に応じて前記設定項目の内容を変更可能である。例えば、第１設定処理部７３は、前記設定項目の設定に用いられる設定画面Ｐ１（図２参照）を、前記設定項目の内容が前記初期設定内容に設定された状態で操作表示部１に表示させる。なお、設定画面Ｐ１のレイアウト等は、画像形成装置１０で実行される前記プリント処理、前記スキャン処理、前記コピー処理、及び前記ファクシミリ通信処理などの前記画像処理ごとに記憶されている。
【００２４】
また、前記設定項目ごとに対応する前記初期設定内容は、記憶部６に記憶される第１設定情報Ｄ１（図３参照）及び第２設定情報Ｄ２（図４参照）に記憶されている。なお、第１設定情報Ｄ１は、制御部７の前記ＲＯＭに記憶されていてもよい。
【００２５】
第１設定情報Ｄ１、第２設定情報Ｄ２、及び履歴情報Ｄ３（図５参照）は、画像形成装置１０で実行される前記プリント処理、前記スキャン処理、前記コピー処理、及び前記ファクシミリ通信処理などの前記画像処理ごとに記憶されている。なお、第２設定情報Ｄ２及び履歴情報Ｄ３は、画像形成装置１０のユーザーごとに対応付けて記憶されている。ただし、他の実施形態では、全ユーザー共通で第２設定情報Ｄ２及び履歴情報Ｄ３が記憶されてもよい。
【００２６】
ここに、図２は、前記コピー処理に対応する設定画面Ｐ１の一例を示す図である。図２に示されるように、設定画面Ｐ１には、複数の設定項目に対応する複数の操作キーＫ１〜Ｋ４が表示されている。具体的に、操作キーＫ１〜Ｋ４は、前記コピー処理に関する「カラーモード」、「原稿サイズ」、「用紙サイズ」、及び「拡大・縮小」の設定項目にそれぞれ対応する操作キーである。
【００２７】
そして、制御部７は、設定画面Ｐ１における操作キーＫ１〜Ｋ４の操作に応じて、操作キーＫ１〜Ｋ４に対応する設定項目の設定操作を受け付ける。例えば、制御部７は、操作キーＫ１が操作された場合には、「フルカラー」及び「白黒」の２つの選択肢を操作表示部１に表示し、いずれかの選択肢の選択操作を「カラーモード」の設定操作として受け付ける。また、制御部７は、操作キーＫ２が操作された場合には、複数の原稿サイズの候補とサイズを任意に入力可能な入力部とを操作表示部１に表示し、いずれかの原稿サイズの選択操作又は前記入力部に対する数値入力操作を「原稿サイズ」の設定操作として受け付ける。また、制御部７は、操作キーＫ３が操作された場合には、画像形成装置１０で使用可能な用紙サイズを操作表示部１にリスト表示し、いずれかの用紙サイズの選択操作を「用紙サイズ」の設定操作として受け付ける。また、制御部７は、操作キーＫ４が操作された場合には、複数の拡大率の候補と拡大率を任意に入力可能な入力部とを操作表示部１に表示し、いずれかの拡大率の選択操作又は前記入力部に対する数値入力操作を「拡大・縮小」の設定操作として受け付ける。
【００２８】
なお、設定画面Ｐ１には、複数の設定項目を自動的に設定するための操作キーＫ５が表示されている。操作キーＫ５が操作されると、判別処理部７１により原稿種類が判別される。例えば、原稿がＡＤＦ２にセットされている場合には、ＡＤＦ２にセットされた原稿が画像読取部３により順次に読み取られ、読み取られた画像データに基づいて原稿種類が判別される。そして、判別された原稿種類に応じて各設定項目が自動的に設定される。なお、各設定項目が自動的に設定される仕組みについては後述する。
【００２９】
一方、図３は、前記コピー処理に対応する第１設定情報Ｄ１の一例を示す図であり、図４は、前記コピー処理に対応する第２設定情報Ｄ２の一例を示す図である。図３に示されるように、第１設定情報Ｄ１には、前記設定項目各々に対応する基準設定値が記憶されている。また、図４に示されるように、第２設定情報Ｄ２には、原稿種類ごとに、前記設定項目各々に対応するユーザー設定値が記憶されている。本実施形態では、前記基準設定値及び前記ユーザー設定値が、前記初期設定内容の一例である。
【００３０】
第１設定情報Ｄ１の基準設定値は、画像形成装置１０の製造時又は出荷時などに予め設定された変更不能な前記設定項目各々の設定内容である。一方、第２設定情報Ｄ２のユーザー設定値は、初期設定時などに操作表示部１に対するユーザー操作に応じて任意に設定可能な前記設定項目各々の設定内容である。なお、制御部７は、ユーザー操作に応じて前記ユーザー設定値を前記基準設定値にリセットすることが可能であってもよい。また、制御部７は、後述の設定制御処理において、第２設定情報Ｄ２のユーザー設定値を、履歴情報Ｄ３（図５参照）に基づいて自動的に設定することが可能である。一方、前記ユーザー設定値が設定されるまでの間、第２設定情報Ｄ２には前記ユーザー設定値が記憶されていない状態となる。この場合、第２設定情報Ｄ２における前記設定項目各々の前記ユーザー設定値が、第１設定情報Ｄ１における前記設定項目各々の前記基準設定値と同じ値に設定されてもよい。
【００３１】
記憶処理部７４は、前記画像処理が実行されるごとに前記設定項目各々の内容を前記原稿種類と関連付けて記憶部６に履歴情報Ｄ３として記憶させる。すなわち、履歴情報Ｄ３には、過去にユーザー操作に応じて設定された前記設定項目各々の設定内容が含まれることになる。図５は、前記コピー処理に対応する履歴情報Ｄ３の一例を示す図である。履歴情報Ｄ３には、画像形成装置１０において前記画像処理（例えば前記コピー処理）が実行された日時、前記画像処理の処理対象の原稿種類、および前記画像処理で用いられた前記設定項目各々の設定内容が含まれる。なお、図５に示される履歴情報Ｄ３は、日時によってソートされており、日時Ｔ１が最も古い日時であり、日時Ｔ２５が最も新しい日時である。
【００３２】
第２設定処理部７５は、履歴情報Ｄ３における前記原稿種類ごとの前記設定項目の内容に基づいて前記原稿種類ごとに前記ユーザー設定値を設定する。なお、第２設定処理部７５による前記ユーザー設定値の設定方法としては、種々の設定方法が考えられる。以下、第２設定処理部７５による前記ユーザー設定値の設定方法の２つの具体例を説明する。
【００３３】
＜第１の設定方法＞
第１の設定方法として、第２設定処理部７５は、或る原稿種類について或る設定項目の内容が同じ内容で前記画像処理が予め定められた回数（例えば２回）以上実行されている場合に、当該設定項目の内容を、当該原稿種類の当該設定項目に対応する前記ユーザー設定値として設定してもよい。この場合において、第２設定処理部７５は、或る原稿種類の或る設定項目について、互いに異なる複数の内容で前記画像処理が前記予め定められた回数（例えば２回）以上それぞれ実行されている場合に、前記複数の内容のうちの最新の内容を前記原稿種類に対応する前記ユーザー設定値として設定してもよい。
【００３４】
図６は、図５に示される履歴情報Ｄ３に基づいて前記第１の設定方法で設定されるユーザー設定値の遷移の一例を示している。まず、「パスポート」に着目すると、図５に示されるように、日時Ｔ１で「パスポート」のコピー処理が実行された時点では、「パスポート」のいずれの設定項目についても、２回以上使用された設定内容は存在しない。よって、この時点では、「パスポート」のいずれの設定項目の前記ユーザー設定値も設定されない。
【００３５】
日時Ｔ２で「パスポート」のコピー処理が実行された時点では、「パスポート」の「カラーモード」の設定内容として「白黒」が日時Ｔ１及び日時Ｔ２の２回使用されていることが、履歴情報Ｄ３から分かる。よって、第２設定処理部７５は、「パスポート」の「カラーモード」に対応する前記ユーザー設定値を「白黒」に設定する。同様に、第２設定処理部７５は、「パスポート」の「原稿サイズ」に対応する前記ユーザー設定値を「Ａ６」に設定し、さらに、「パスポート」の「用紙サイズ」に対応する前記ユーザー設定値を「Ａ４」に設定する。なお、「パスポート」の「拡大・縮小」に対応する前記ユーザー設定値については、この時点では設定されない。日時Ｔ３で「パスポート」のコピー処理が実行された時点では、「パスポート」の「拡大・縮小」の設定内容として「２００％」が日時Ｔ２及び日時Ｔ３の２回使用されている。よって、第２設定処理部７５は、「パスポート」の「拡大・縮小」に対応する前記ユーザー設定値を「２００％」に設定する。
【００３６】
図５に示されるように、日時Ｔ８における「パスポート」のコピー処理では、前回の「パスポート」のコピー処理（すなわち、日時Ｔ４における「パスポート」のコピー処理）と比較して、「カラーモード」、「用紙サイズ」、及び「拡大・縮小」の設定内容が変化している。しかしながら、日時Ｔ８で「パスポート」のコピー処理が実行された時点では、「パスポート」の「カラーモード」の設定内容として２回以上使用されているのは「白黒」だけである。よって、この時点では「パスポート」の「カラーモード」に対応する前記ユーザー設定値は「白黒」のままである。同様に、「パスポート」の「用紙サイズ」に対応する前記ユーザー設定値は「Ａ４」のままであり、「パスポート」の「拡大・縮小」に対応する前記ユーザー設定値は「２００％」のままである。
【００３７】
日時Ｔ１０で「パスポート」のコピー処理が実行された時点では、「パスポート」の「カラーモード」の設定内容として「フルカラー」と「白黒」の２つが２回以上使用されている。この場合、第２設定処理部７５は、これらの２つの設定内容のうちの最新の設定内容（すなわち、最終使用日時が最も新しい設定内容）を、「パスポート」の「カラーモード」に対応する前記ユーザー設定値として設定する。その結果、「パスポート」の「カラーモード」に対応する前記ユーザー設定値が「フルカラー」に設定（更新）される。同様に、「パスポート」の「用紙サイズ」に対応する前記ユーザー設定値が「Ａ５」に設定され、「パスポート」の「拡大・縮小」に対応する前記ユーザー設定値が「１４１％」に設定される。
【００３８】
次に、「領収書」に着目すると、図６において、日時Ｔ７で「領収書」のコピー処理が実行された時点では、「領収書」のいずれの設定項目についても、２回以上使用された設定内容は存在しない。よって、この時点では、「領収書」のいずれの設定項目の前記ユーザー設定値も設定されない。
【００３９】
日時Ｔ９で「領収書」のコピー処理が実行された時点では、「領収書」の「カラーモード」の設定内容として「フルカラー」が日時Ｔ７及び日時Ｔ９の２回使用されていることが、履歴情報Ｄ３から分かる。よって、第２設定処理部７５は、「領収書」の「カラーモード」に対応する前記ユーザー設定値を「フルカラー」に設定する。同様に、第２設定処理部７５は、「領収書」の「原稿サイズ」に対応する前記ユーザー設定値を「Ａ５」に設定し、「領収書」の「用紙サイズ」に対応する前記ユーザー設定値を「Ａ４」に設定し、「領収書」の「拡大・縮小」に対応する前記ユーザー設定値を「１００％」に設定する。
【００４０】
図５に示されるように、日時Ｔ１１における「領収書」のコピー処理では、前回の「領収書」のコピー処理（すなわち、日時Ｔ９における「領収書」のコピー処理）と比較して、「カラーモード」及び「拡大・縮小」の設定内容が変化している。しかしながら、日時Ｔ１１で「領収書」のコピー処理が実行された時点では、「領収書」の「カラーモード」の設定内容として２回以上使用されているのは「フルカラー」だけである。よって、この時点では「領収書」の「カラーモード」に対応する前記ユーザー設定値は「フルカラー」のままである。同様に、「領収書」の「拡大・縮小」に対応する前記ユーザー設定値は「１００％」のままである。
【００４１】
日時Ｔ１３で「領収書」のコピー処理が実行された時点では、「領収書」の「カラーモード」の設定内容として「フルカラー」と「白黒」の２つが２回以上使用されている。この場合、第２設定処理部７５は、これらの２つの設定内容のうちの最新の設定内容（ここでは、「白黒」）を、「領収書」の「カラーモード」に対応する前記ユーザー設定値として設定する。同様に、第２設定処理部７５は、「領収書」の「拡大・縮小」に対応する前記ユーザー設定値を「１４１％」に設定する。
【００４２】
図５に示されるように、日時Ｔ１４における「領収書」のコピー処理では、前回の「領収書」のコピー処理（すなわち、日時Ｔ１３における「領収書」のコピー処理）と比較して、「用紙サイズ」及び「拡大・縮小」の設定内容が変化している。しかしながら、日時Ｔ１４で「領収書」のコピー処理が実行された時点では、「領収書」の「用紙サイズ」の設定内容として２回以上使用されているのは「Ａ４」だけである。よって、この時点では「領収書」の「用紙サイズ」に対応する前記ユーザー設定値は「Ａ４」のままである。一方、この時点では、「領収書」の「拡大・縮小」の設定内容として「１００％」と「１４１％」の２つが２回以上使用されている。この場合、第２設定処理部７５は、これらの２つの設定内容のうちの最新の設定内容（ここでは、「１００％」）を、「領収書」の「拡大・縮小」に対応する前記ユーザー設定値として設定する。
【００４３】
＜第２の設定方法＞
第２の設定方法として、第２設定処理部７５は、或る原稿種類について或る設定項目の内容が同じ内容で前記画像処理が予め定められた回数（例えば２回）以上連続して実行されている場合に、当該設定項目の内容を、当該原稿種類の当該設定項目に対応する前記ユーザー設定値として設定してもよい。
【００４４】
図７は、図５に示される履歴情報Ｄ３に基づいて前記第２の設定方法で設定されるユーザー設定値の遷移の一例を示している。まず、「パスポート」に着目すると、図５に示されるように、日時Ｔ１で「パスポート」のコピー処理が実行された時点では、「パスポート」のいずれの設定項目についても、２回以上連続して使用されている設定内容は存在しない。よって、この時点では、「パスポート」のいずれの設定項目の前記ユーザー設定値も設定されない。
【００４５】
日時Ｔ２で「パスポート」のコピー処理が実行された時点では、この時点における「パスポート」の最新のコピー処理（すなわち、日時Ｔ２における「パスポート」のコピー処理）を含めて、「パスポート」の「カラーモード」の設定内容として「白黒」が日時Ｔ１及び日時Ｔ２の２回連続して使用されていることが、履歴情報Ｄ３から分かる。よって、第２設定処理部７５は、「パスポート」の「カラーモード」に対応する前記ユーザー設定値を「白黒」に設定する。同様に、第２設定処理部７５は、「パスポート」の「原稿サイズ」に対応する前記ユーザー設定値を「Ａ６」に設定し、さらに、「パスポート」の「用紙サイズ」に対応する前記ユーザー設定値を「Ａ４」に設定する。なお、「パスポート」の「拡大・縮小」に対応する前記ユーザー設定値については、この時点では設定されない。日時Ｔ３で「パスポート」のコピー処理が実行された時点では、「パスポート」の「拡大・縮小」の設定内容として「２００％」が日時Ｔ２及び日時Ｔ３の２回連続して使用されている。よって、第２設定処理部７５は、「パスポート」の「拡大・縮小」に対応する前記ユーザー設定値を「２００％」に設定する。
【００４６】
図５に示されるように、日時Ｔ８における「パスポート」のコピー処理では、前回の「パスポート」のコピー処理（すなわち、日時Ｔ４における「パスポート」のコピー処理）と比較して、「カラーモード」、「用紙サイズ」、及び「拡大・縮小」の設定内容が変化している。しかしながら、日時Ｔ８で「パスポート」のコピー処理が実行された時点では、「パスポート」の「カラーモード」の設定内容は「フルカラー」に変化したばかりである。よって、この時点では「パスポート」の「カラーモード」に対応する前記ユーザー設定値は「白黒」のままである。同様に、「パスポート」の「用紙サイズ」に対応する前記ユーザー設定値は「Ａ４」のままであり、「パスポート」の「拡大・縮小」に対応する前記ユーザー設定値は「２００％」のままである。
【００４７】
日時Ｔ１０で「パスポート」のコピー処理が実行された時点では、「パスポート」の「カラーモード」の設定内容として「フルカラー」が日時Ｔ８及び日時Ｔ１０の２回連続して使用されている。よって、第２設定処理部７５は、「パスポート」の「カラーモード」に対応する前記ユーザー設定値を「フルカラー」に設定する。同様に、「パスポート」の「用紙サイズ」に対応する前記ユーザー設定値が「Ａ５」に設定され、「パスポート」の「拡大・縮小」に対応する前記ユーザー設定値が「１４１％」に設定される。
【００４８】
次に、「領収書」に着目すると、図７において、日時Ｔ７で「領収書」のコピー処理が実行された時点では、「領収書」のいずれの設定項目についても、２回以上連続して使用されている設定内容は存在しない。よって、この時点では、「領収書」のいずれの設定項目の前記ユーザー設定値も設定されない。
【００４９】
日時Ｔ９で「領収書」のコピー処理が実行された時点では、「領収書」の「カラーモード」の設定内容として「フルカラー」が日時Ｔ７及び日時Ｔ９の２回連続して使用されていることが、履歴情報Ｄ３から分かる。よって、第２設定処理部７５は、「領収書」の「カラーモード」に対応する前記ユーザー設定値を「フルカラー」に設定する。同様に、第２設定処理部７５は、「領収書」の「原稿サイズ」に対応する前記ユーザー設定値を「Ａ５」に設定し、「領収書」の「用紙サイズ」に対応する前記ユーザー設定値を「Ａ４」に設定し、「領収書」の「拡大・縮小」に対応する前記ユーザー設定値を「１００％」に設定する。
【００５０】
図５に示されるように、日時Ｔ１１における「領収書」のコピー処理では、前回の「領収書」のコピー処理（すなわち、日時Ｔ９における「領収書」のコピー処理）と比較して、「カラーモード」及び「拡大・縮小」の設定内容が変化している。しかしながら、日時Ｔ１１で「領収書」のコピー処理が実行された時点では、「領収書」の「カラーモード」の設定内容として「白黒」はまだ２回以上連続しては使用されていない。よって、この時点では「領収書」の「カラーモード」に対応する前記ユーザー設定値は「フルカラー」のままである。同様に、「領収書」の「拡大・縮小」に対応する前記ユーザー設定値は「１００％」のままである。
【００５１】
日時Ｔ１３で「領収書」のコピー処理が実行された時点では、「領収書」の「カラーモード」の設定内容として「白黒」が日時Ｔ１１及び日時Ｔ１３の２回連続して使用されている。よって、第２設定処理部７５は、「領収書」の「カラーモード」に対応する前記ユーザー設定値を「白黒」に設定する。同様に、第２設定処理部７５は、「領収書」の「拡大・縮小」に対応する前記ユーザー設定値を「１４１％」に設定する。
【００５２】
図５に示されるように、日時Ｔ１４における「領収書」のコピー処理では、前回の「領収書」のコピー処理（すなわち、日時Ｔ１３における「領収書」のコピー処理）と比較して、「用紙サイズ」及び「拡大・縮小」の設定内容が変化している。しかしながら、日時Ｔ１４で「領収書」のコピー処理が実行された時点では、「領収書」の「用紙サイズ」の設定内容として「Ａ５」はまだ２回以上連続しては使用されていない。よって、この時点では「領収書」の「用紙サイズ」に対応する前記ユーザー設定値は「Ａ４」のままである。同様に、この時点では、「領収書」の「拡大・縮小」の設定内容として「１００％」はまだ２回以上連続しては使用されていない。よって、この時点では「領収書」の「拡大・縮小」に対応する前記ユーザー設定値は「１４１％」のままである。
【００５３】
なお、第２設定処理部７５は、或る原稿種類に対応する前記ユーザー設定値を設定した後に、他の原稿種類についての前記画像処理が予め定められた回数（例えば、１５回）実行された場合に、前記ユーザー設定値を予め定められた初期値（例えば、Ｎｕｌｌ又は前記基準設定値）にリセットしてもよい。例えば、図６及び図７において「手紙」に着目すると、日時Ｔ６における「手紙」のコピー処理が実行された時点で、「手紙」の各設定項目の前記ユーザー設定値が設定される。しかしながら、その後は、「手紙」以外の原稿種類（ここでは、「領収書」及び「パスポート」）のコピー処理が１５回以上実行されている。よって、第２設定処理部７５は、「手紙」以外の原稿種類のコピー処理が１５回実行された時点（すなわち、日時Ｔ２１の「パスポート」のコピー処理が実行された時点）で、「手紙」の各設定項目の前記ユーザー設定値をＮｕｌｌに設定する。これにより、頻繁にコピー処理されないような原稿種類に関して、古い前記ユーザー設定値に基づいて各設定項目が自動的に設定されてしまうことを防止することができる。
【００５４】
特定処理部７６は、画像形成装置１０を使用するユーザーを特定するログイン処理を実行する。例えば、特定処理部７６は、操作表示部１に対するユーザーＩＤ及びパスワードの入力操作に応じてユーザーのログイン認証処理を実行することによりユーザーを特定する。なお、ユーザーのログイン認証の内容はこれに限らず、例えば画像形成装置１０にカードリーダーが設けられており、そのカードリーダーによって読み取られるカードの情報に基づいてユーザーが特定されてもよい。記憶処理部７４は、特定処理部７６により特定されたユーザーごとに履歴情報Ｄ３を記憶部６に記憶させてもよい。第２設定処理部７５は、前記ユーザーごとに前記ユーザー設定値を設定してもよい。
【００５５】
報知処理部７７は、判別処理部７１により判別された原稿種類に対応する前記ユーザー設定値で前記設定項目の内容が設定されたときに、前記原稿種類を報知すると共に、前記原稿種類に応じて前記設定項目の内容が設定された旨を報知する。例えば、設定画面Ｐ１に含まれる操作キーＫ５（図２参照）の操作に応じて各設定項目の内容が自動的に設定されたときに、報知処理部７７は、図８に示されるようなメッセージＭ１を設定画面Ｐ１に表示してもよい。
【００５６】
以下、図９を参照しつつ、画像形成装置１０において、制御部７によって実行される設定制御処理の手順の一例について説明する。ここで、ステップＳ１、Ｓ２・・・は、制御部７により実行される処理手順（ステップ）の番号を表している。
【００５７】
＜ステップＳ１＞
ステップＳ１において、制御部７は、実行すべき画像処理に応じた設定画面Ｐ１を操作表示部１に表示する。例えば、前記画像処理が前記コピー処理である場合、制御部７は、図２に示されるような設定画面Ｐ１を操作表示部１に表示する。設定画面Ｐ１における操作キーＫ１〜Ｋ４には、対応する設定項目に対応する前記基準設定値（図３参照）が初期表示される。
【００５８】
＜ステップＳ２＞
ステップＳ２において、制御部７は、履歴情報Ｄ３に基づく自動設定を行うべきか否かを判断する。例えば、制御部７は、設定画面Ｐ１に含まれる操作キーＫ５が操作された場合に、前記自動設定を行うべきであると判断する。そして、前記自動設定を行うべきであると判断されると（Ｓ２：Ｙｅｓ）、処理がステップＳ３に移行する。一方、前記自動設定を行うべきではないと判断されると（Ｓ２：Ｎｏ）、処理がステップＳ５に移行する。
【００５９】
＜ステップＳ３＞
ステップＳ３において、制御部７（判別処理部７１）は、前記画像処理の処理対象の原稿の画像データに基づいて原稿種類を判別する。例えば、前記画像処理が前記コピー処理、前記スキャン処理、又は前記ファクシミリ通信処理である場合は、制御部７は、ＡＤＦ２及び画像読取部３を制御して、ＡＤＦ２にセットされた原稿の画像を画像読取部３に読み取らせ、画像読取部３から前記原稿の画像データを取得する。そして、取得した画像データに基づいて原稿種類を判別する。また、前記画像処理が前記プリント処理である場合は、制御部７は、記憶部６又は外部メモリに記憶されている原稿の画像データを読み出す。そして、読み出した画像データに基づいて原稿種類を判別する。ステップＳ３は、本発明の「判別処理ステップ」の一例である。
【００６０】
＜ステップＳ４＞
ステップＳ４において、制御部７（第１設定処理部７３）は、記憶部６に記憶されている第２設定情報Ｄ２から、前記ステップＳ３で判別された原稿種類に対応する前記ユーザー設定値を取得して、当該ユーザー設定値に基づいて各設定項目の内容を自動設定する。その結果、例えば、図２に示される設定画面Ｐ１が、図８に示される設定画面Ｐ１のように更新される。なお、前記原稿種類に対応する、前記ユーザー設定値が未設定（すなわち、ＮＵＬＬ）である設定項目については、当該設定項目に対応する前記基準設定値が適用される。そして、処理がステップＳ５に移行する。ステップＳ４は、本発明の「第１設定処理ステップ」の一例である。
【００６１】
＜ステップＳ５＞
ステップＳ５において、制御部７は、前記画像処理を開始すべきか否かを判断する。例えば、制御部７は、操作表示部１に含まれる前記スタートボタンが操作された場合に、前記画像処理を開始すべきであると判断する。そして、前記画像処理を開始すべきであると判断されると（Ｓ５：Ｙｅｓ）、処理がステップＳ６に移行する。一方、前記画像処理を開始すべきではないと判断されると（Ｓ５：Ｎｏ）、前記画像処理を開始すべきであると判断されるまで、ステップＳ５の処理が繰り返される。なお、ステップ５において前記画像処理を開始すべきであると判断されるまでの間は、操作表示部１に対するユーザー操作に応じて各設定項目の内容が変更され得る。
【００６２】
なお、他の実施形態では、前記ステップＳ４で各設定項目の内容が自動設定された後、自動設定された各設定項目の内容に従って自動的にステップＳ６の画像処理が開始されてもよい。この場合、当該画像処理の実行中又は完了後に、制御部７（報知処理部７７）によって前記設定項目の内容が報知されてもよい。
【００６３】
＜ステップＳ６＞
ステップＳ６において、制御部７（画像処理部７２）は、各設定項目の内容に従って、前記画像データを用いた前記画像処理を実行する。例えば、前記画像処理が前記コピー処理である場合は、制御部７は、画像形成部４を制御して、前記画像データに応じた画像をシートに印刷する。ステップＳ６は、本発明の「画像処理ステップ」の一例である。
【００６４】
＜ステップＳ７＞
ステップＳ７において、制御部７（記憶処理部７４）は、前記ステップＳ６で実行された前記画像処理で使用された各設定項目の内容を、原稿種類と関連付けて、履歴情報Ｄ３に登録する。なお、前記ステップＳ３の処理が実行されなかった場合（すなわち、設定画面Ｐ１の操作キーＫ５が操作されることなく前記画像処理が開始された場合）は、制御部７は、前記画像処理が開始された後に原稿種別を判別してもよい。ステップＳ７は、本発明の「記憶処理ステップ」の一例である。
【００６５】
＜ステップＳ８＞
ステップＳ８において、制御部７（第２設定処理部７５）は、履歴情報Ｄ３に基づいて、第２設定情報Ｄ２における前記ユーザー設定値を更新する。具体的に、制御部７は、前記ステップＳ７で履歴情報Ｄ３に新たに登録された設定内容に基づいて、対応する原稿種類の前記ユーザー設定値を更新する。また、制御部７は、前述したように、第２設定情報Ｄ２に含まれる古い前記ユーザー設定値を、必要に応じて前記初期値（例えば、ＮＵＬＬ又は前記基準設定値）にリセットする。ステップＳ８は、本発明の「第２設定処理ステップ」の一例である。
【００６６】
なお、図９に示されるフローチャートでは、前記ステップＳ８において前記ユーザー設定値が更新されるが、本発明はこれに限定されない。例えば、前記ステップＳ３の直後に前記ユーザー設定値が更新されてもよい。この場合、前記ステップＳ３で判別された原稿種類に対応する前記ユーザー設定値のみが更新されてもよい。
【００６７】
以上説明したように、本実施形態に係る画像形成装置１０では、前記画像処理が実行されるごとに各設定項目の内容が原稿種類と関連付けて記憶部６に履歴情報Ｄ３として記憶される。そして、履歴情報Ｄ３における原稿種類ごとの各設定項目の内容に基づいて原稿種類ごとに各設定項目の初期設定内容が設定される。これにより、原稿種類に応じた初期設定内容を履歴情報Ｄ３に基づいて設定することが可能となり、ユーザーの設定操作の手間が軽減される。
【００６８】
［変形例］
なお、本実施形態では、第２設定処理部７５は、履歴情報Ｄ３に基づいて設定項目ごとに個別に前記ユーザー設定値を設定しているが、本発明はこれに限定されない。他の実施形態では、第２設定処理部７５は、全設定項目の内容が同一の内容で前記画像処理が予め定められた回数以上実行されている場合（もしくは、予め定められた回数以上連続して実行された場合）にのみ、その内容に基づいて前記ユーザー設定値が設定されてもよい。
【００６９】
また、他の実施形態では、履歴情報Ｄ３に含まれる古い情報が、予め定められた規則に従って適宜に削除されてもよい。例えば、履歴情報Ｄ３には、予め定められた回数分の最新の情報だけが常に保持されるようにしてもよい。
【符号の説明】
【００７０】
１    操作表示部
２    ＡＤＦ
３    画像読取部
４    画像形成部
５    通信Ｉ／Ｆ
６    記憶部
７    制御部
７１  情報処理部
７２  第１設定処理部
７３  記憶処理部
７４  カウント処理部
７５  第２設定処理部
７６  特定処理部
７７  報知処理部
１０  画像形成装置
【図１】
2018117234.tif 000003
【図２】
2018117234.tif 000004
【図３】
2018117234.tif 000005
【図４】
2018117234.tif 000006
【図５】
2018117234.tif 000007
【図６】
2018117234.tif 000008
【図７】
2018117234.tif 000009
【図８】
2018117234.tif 000010
【図９】
2018117234.tif 000011